(57)【特許請求の範囲】
【請求項１】
ロッドの先端に液体を攪拌する攪拌翼を有する攪拌棒を備えた自動分析装置において、
前記攪拌棒を液体から引き上げるステップと、
前記攪拌棒に付着した液体を当該攪拌棒の先端に液滴として凝集させるために、当該攪拌棒を所定時間停止するステップと、
前記所定時間停止後に液滴を除去するために前記攪拌棒を回転させるステップを行うためのプログラムが記憶された記憶装置と、
このプログラムを実行する演算装置を備え、
前記攪拌棒のロッドは前記攪拌翼に向かって単調に軸径が拡大する領域を有することを特徴とする自動分析装置。
【請求項２】
請求項１の自動分析装置において、
前記攪拌棒を上下に駆動するための駆動機構を備えたことを特徴とする自動分析装置。
【請求項３】
請求項１の自動分析装置において、
前記攪拌棒のロッドは、先端に設けられた攪拌翼に向かって軸径が単調に拡大することを特徴とする自動分析装置。
【請求項４】
請求項１の自動分析装置において、
前記攪拌棒のロッドは、先端に向かって軸径が単調に拡大する第１の領域と、先端に向かって軸径が減少する第２の領域を交互に有し、前記第１の領域が前記第２の領域よりも長いことを特徴とする自動分析装置。
【発明の詳細な説明】
【技術分野】
【０００１】
本発明は、血液や尿などの生体試料中に含まれる特定成分の定性・定量分析を行う自動分析装置に関するものであり、特に、反応容器に生体試料や検査用試薬を分注する分注ノズルと、試料と試薬とを均一に攪拌する攪拌棒の一方あるいは両方を備えた自動分析装置に関する。
【背景技術】
【０００２】
化学分析装置の例として、血液や尿などの試料に試薬を混合した反応液を分析対象とし、その吸光度を測定することで分析を行う化学分析装置が知られている。この分析装置では、反応容器に試料や試薬を分注する機構、反応容器内の反応液の吸光度を分析する機構、分注ノズル、及び反応容器を洗浄する機構等を備えている。一部の化学分析装置では、試薬あるいは試薬と試料を混合した反応液を攪拌する攪拌機構を備えている。
【０００３】
自動分析装置では、検査の過程で分注ノズルや攪拌棒の表面に反応液や洗浄液が付着する。この状態のまま次検査の試薬・試料・反応液に分注ノズルや攪拌棒を浸すと、前検査の反応液や洗浄液が次検査の溶液に混入してしまい、測定結果が正しく得られなくなる可能性がある。
【０００４】
また近年、自動分析装置では、生体試料及び試薬の微量化が大きな課題となっている。この理由として、人体の影響に対する考慮、または試料を多量に準備できない乳幼児や高齢者の検査のために少量の試料での検査が進んでいること、および、分析項目が増大するなど分析内容が高度化するのに伴い、高価な試薬が使用されるようになり、コストの面からも試薬の微量化が進んでいることがあげられる。
【０００５】
上記のような試料及び試薬の微量化により、反応液や洗浄液の液量に対する次検査への持ち込み液量の比が大きくなり、測定結果への影響も大きくなることが懸念される。
【０００６】
また、近年自動分析装置の処理速度が向上しており、分析サイクル時間の短縮が求められている。
【０００７】
以上の理由により、分注ノズルあるいは攪拌棒に付着した溶液を短時間で可能な限り除去することが必要とされる。
【０００８】
攪拌棒に付着する溶液を除去する方法として、攪拌棒を洗浄後、洗浄槽から洗浄水が抜けた状態で攪拌棒を回転させることで洗浄液を飛び散らせる方法が特許公知であり、例えば文献１に開示されている。
【０００９】
特許文献２には、気体を噴射する気体噴射口を設け、分注ノズルに気体を噴射することで洗浄液を除去する方法が開示されている。
【００１０】
特許文献３には、分注ノズルに水振切り振動を付与する水振切り加振手段を備え、ノズルに振動を付与することで洗浄液を除去する方法が開示されている。
【先行技術文献】
【特許文献】
【００１１】
【特許文献１】特開平９−２９２３９８号公報
【特許文献２】特開２００９−４２０６７号公報
【特許文献３】特開２００８−２１５９２８号公報
【非特許文献】
【００１２】
【非特許文献１】F. P. Bretherton: The motion of long bubbles in tubes: Journal of Fluid Mechanics, Volume 10, p.166（1961)
【非特許文献２】C. W. Hirt and B.D. Nichols：Volume of fluid(VOF) method for the dynamics of free boundaries：Journal of Computational Physics, Volume 39, p.201（1981）
【発明の概要】
【発明が解決しようとする課題】
【００１３】
特許文献１に開示されている方法は、洗浄槽から洗浄水が抜けた状態で攪拌棒を回転させ、遠心力の効果により付着した洗浄水を飛び散らせる方法である。しかしながら、一般にロッドの表面に付着した溶液を飛び散らせるためには、回転による遠心力が溶液のロッドに対する付着力よりも大きい必要がある。自動分析装置では、分注ノズルや攪拌棒の軸径が数mm、表面に付着する溶液は厚さ数十μｍの薄膜であり、この薄膜を飛び散らせるのに必要な遠心力を得るためには非常に高速な回転が必要であり、装置への実装は現実的ではない。また、回転を行っても小さな液滴がロッドの表面に残存してしまうという課題がある。一定の大きさ以下の液滴には十分な大きさの遠心力が働かないため、回転させる時間をどれだけ多く費やしてもこの小さな液滴を除去することができない。
【００１４】
特許文献２に開示されているように、分注ノズルや攪拌棒に気体を噴射する方法においても、ロッドの表面に小さな液滴が残存してしまう恐れがある。
【００１５】
特許文献３においても、特許文献１，２の方法と同様に、分注ノズルの表面に小さな液滴が残ってしまう課題がある。また、分注ノズルに振動を付与するため、機械に与えるダメージが大きい。このような振動をなるべく与えることなく付着した溶液を除去できる方法がのぞましい。
【００１６】
上記の先行技術に記されているように、分注ノズルや攪拌棒に付着した溶液の除去手段としてさまざまな方法が知られている。しかしながら、いずれの手段で付着溶液の除去を行う場合でも、溶液がロッドの表面に液膜状に付着した状態で除去動作を行うと、除去しきれなかった小さな液滴が残存し、その後さらに除去動作を繰り返してもこの小さな液滴が除去しきれない可能性がある。そうすると、前検査の反応液や洗浄液が次検査の溶液に混入してしまい、測定結果が正しく得られなくなるという課題がある。
【００１７】
本発明の目的は、上記の課題に鑑み、分注ノズルあるいは攪拌棒に付着した溶液を効率良く除去する手段を提供することにある。
【課題を解決するための手段】
【００１８】
本発明は、以下の自動分析装置を提供する。
【００１９】
分注ノズルを洗浄槽から引き上げるステップと、分注ノズルに付着した洗浄液を分注ノズルの先端に液滴として凝集させるために、分注ノズルを所定時間停止するステップと、所定時間停止後に液滴を除去するために分注ノズルを振動させるステップあるいは分注ノズルの液滴に空気を噴射するステップを行うためのプログラムが記憶された記憶装置と、このプログラムを実行する演算装置を備えたことを特徴とする自動分析装置。
【００２０】
また、液体の攪拌を行う攪拌棒を備えた自動分析装置において、前記攪拌棒を液体から引き上げるステップと、前記攪拌棒に付着した液体を当該攪拌棒の先端に液滴として凝集させるために、当該攪拌棒を所定時間停止するステップと、前記所定時間停止後に液滴を除去するために前記攪拌棒を回転させるステップを行うためのプログラムが記憶された記憶装置と、このプログラムを実行する演算装置を備えたことを特徴とする自動分析装置。
【発明の効果】
【００２１】
本発明によれば、分注ノズルあるいは攪拌棒に付着した溶液を液滴状に凝集させることで、溶液が残存することなく効率良く除去できる。これにより、自動分析装置において、次の検査に前の検査の試料あるいは試薬への溶液の混入を防ぎ、精度のよい測定を行うことができる。
【図面の簡単な説明】
【００２２】
【図１】本発明における自動分析装置の全体概略図。
【図２】本発明における分注機構を示す図。
【図３】本発明における攪拌機構を示す図。
【図４】本発明の実施例１における攪拌及び溶液除去の工程を示す模式図。
【図５】本発明の実施例２における分注及び溶液除去の工程を示す模式図。
【図６】ロッドに付着した液膜に働く遠心力と付着力を示す図。
【図７】ロッドを溶液から引き上げた時の模式図。
【図８】本発明の実施例３における、分注ノズルと攪拌棒の上下運動を示す図。
【図９】本発明における分注ノズルと攪拌棒のロッドの形状図。
【図１０】本発明のロッドの形状に攪拌翼を備えた攪拌棒の形状図。
【図１１】計算を行ったロッド形状を示す図。
【図１２】ロッド形状の違いによる溶液の下方への移動速度の比較。
【図１３】計算を行ったロッド形状を示す図。
【図１４】ロッド形状の違いによる溶液の下方への移動速度の比較。
【発明を実施するための形態】
【００２３】
本発明の実施例について図を用いて詳細に説明する。なお、本発明は、ノズル及び攪拌棒の表面に付着した溶液を下方に液滴状に凝集させることによって溶液を除去できれば良く、以下の詳細な例に限定されない。
【００２４】
図１は、本発明を適用する自動分析装置全体の概略を示した図である。本自動分析装置は、生体試料の納められた試料容器１がセットされた試料ディスク２と、試薬の納められた試薬容器３がセットされた試薬ディスク４と、反応容器５がセットされた反応ディスク６とを備える。さらに、各ディスク間で試料および試薬を反応容器に分注するための分注機構７が設置され、分注機構７には分注ノズル８を備えられている。そして、反応容器中で試料と試薬を均一に攪拌するための攪拌機構９及び攪拌棒１０が設置されている。攪拌された反応液は測光系１１によって測定され、分注の終えた分注ノズルを洗浄するための洗浄槽１２が設置されている。
【００２５】
図２は分注機構７を更に詳細に示した図である。分注ノズル保持部１３の先端に分注ノズル８が吊り下げ把持されている。また、上下駆動モータ１４，支持板１５，駆動プーリ１６，従動プーリ１７が設けられている。駆動プーリ１６は上下駆動モータ１４の回転軸に支持される。従動プーリ１７は支持板１５に回転自在に支持される。
【００２６】
上下駆動ベルト１８は，駆動プーリ１６と従動プーリ１７に掛けられる。分注ノズル保持部１３は，支持板１５に上下移動自在に支持されるとともに，上下駆動ベルト１８の片側に固定される。
【００２７】
図３は攪拌機構９を更に詳細に示した図である。攪拌棒保持部１９の先端に攪拌棒１０が吊り下げ把持されている。また、分注機構と同様に上下駆動モータ１４，支持板１５，駆動プーリ１６，従動プーリ１７が設けられている。駆動プーリ１６は上下駆動モータ１４の回転軸に支持される。従動プーリ１７は支持板１５に回転自在に支持される。
【００２８】
上下駆動ベルト１８は，駆動プーリ１６と従動プーリ１７に掛けられる。分注ノズル保持部１３は，支持板１５に上下移動自在に支持されるとともに，上下駆動ベルト１８の片側に固定される。
【００２９】
更に、攪拌棒保持部には回転モータ２０が備えられており、攪拌棒が自由に回転できるようになっている。
【００３０】
以上の自動分析装置において、分注ノズルおよび攪拌棒の表面に付着した溶液を除去する工程について説明する。
【実施例１】
【００３１】
図４は本発明の実施例１を示し、分注ノズルに付着した洗浄液を除去する工程を示した図である。分注の終えた分注ノズルが洗浄槽に降りて洗浄槽内の洗浄液に浸漬される（図４（ａ））。上下駆動モータを用いて分注ノズルを洗浄槽から引き上げる（図４（ｂ））。このとき分注ノズルの表面には洗浄液が厚さ数十μｍ程度の液膜の状態で付着している。洗浄液が凝集し、分注ノズルの先端に液滴が形成され、液膜がなくなるまで分注ノズルを静止させる（図４（ｃ））。ここで言う分注ノズルの静止とは、上下駆動モータが停止していることを意味し、分注ノズルが物理的に完全に静止していることを意味するものではない。そして、液滴状に凝集した洗浄液を振動や空気を噴射することで除去する（図４（ｄ））。
【００３２】
上記の工程によれば、分注ノズルに付着した洗浄液を液滴状に凝集させるので、わずかに振動や空気の噴射を行うだけで容易に液滴を除去することができ、特許文献２，３と比較して機械への負担も小さい。また、小さな液滴が残存することもなく、次検査に持ち込まれる洗浄液を限りなくゼロにすることができる。
【００３３】
実施例１の手法を自動分析装置では、分注ノズルを洗浄槽から引き上げるステップと、分注ノズルに付着した洗浄液を分注ノズルの先端に液滴として凝集させるために、分注ノズルを所定時間停止するステップと、所定時間停止後に液滴を除去するために分注ノズルを振動させるステップあるいは分注ノズルの液滴に空気を噴射するステップを行うためのプログラムが記憶された記憶装置と、このプログラムを実行する演算装置を備えている。
【実施例２】
【００３４】
図５は実施例２を示し、攪拌棒に付着した反応液を除去する工程を示した図である。なお、攪拌棒で攪拌するものは、試料，試薬，試薬及び試料の混合物（反応液）である。攪拌モータを用いて攪拌棒を回転させることで反応容器内の試料および試薬を均一に攪拌する。（図５（ａ））。上下駆動モータを用いて攪拌棒を反応容器から引き上げる（図５（ｂ））。このとき攪拌棒の表面には洗浄液が厚さ数十μｍ程度の液膜の状態で付着している。反応液が凝集し、攪拌棒の先端に液滴が形成され、液膜がなくなるまで攪拌棒を静止させる（図５（ｃ））。ここで言う攪拌棒の静止とは、上下駆動モータや攪拌モータが停止していることを意味し、攪拌棒が物理的に完全に静止していることを意味するものではない。そして、攪拌モータを用いて攪拌棒を回転させ、液滴状に凝集した反応液を飛散させることで除去する（図５（ｄ））。
【００３５】
上記の工程によれば、付着した反応液を液滴状に凝集させるので、短時間回転させるだけで容易に液滴を除去することができ、特許文献１と比較して、効率的に反応液を除去することができる。また、小さな液滴が残存することもなく、次検査に持ち込まれる洗浄液を限りなくゼロにすることができる。
【００３６】
続いて、実施例２の工程で攪拌棒の先端に凝集した液滴が回転により飛散する条件について説明する。
【００３７】
一般に、図６（ａ）のようにロッドの先端に付着した液滴を回転により飛散させるとき、液滴が飛散するには、回転による遠心力が液滴のロッドに対する付着力よりも大きくなる必要がある。回転による遠心力は、液滴の質量ｍ，ロッドの軸径２ｒ，回転速度ωを用いてｍｒω2で表される。一方、液滴のロッドに対する付着力は液滴の表面張力γを用いて２πｒγで表される。図６（ｂ）は、液滴の質量に対する遠心力と付着力を示したグラフである。ロッドの先端に付着する液滴の質量がｍc以上になれば、液滴が遠心力で飛散する。例として、ロッドの軸径２ｒ＝２mm、回転速度ω＝２００rad／sec、液滴の表面張力を５０ｍＮ／ｍとすると、ｍc＝８×１０-6kgとなる。図６（ｃ）のように、ロッドの表面に付着する液膜の質量がｍcよりも小さい状態で、ロッドを回転させてロッドの先端の液滴を飛散させてしまうと、飛散せずに残った液膜が凝集して再度液滴が生成されたとしても、この液滴には飛散するのに十分な遠心力が働かないため、これ以上回転を与えても除去することはできない。
【００３８】
実施例２の手法を自動分析装置では、攪拌棒を反応液から引き上げるステップと、攪拌棒に付着した反応液を攪拌棒の先端に液滴として凝集させるために、攪拌棒を所定時間停止するステップと、所定時間停止後に液滴を除去するために攪拌棒を回転させるステップを行うためのプログラムが記憶された記憶装置と、このプログラムを実行する演算装置を備えている。
【００３９】
実施例１と実施例２において、分注ノズルや攪拌棒に付着した液膜が液滴状に凝集するまで分注ノズルや攪拌棒を静止させるとき、どの程度の大きさの液滴になるまで静止させれば良いかは、ロッドを溶液から引き上げた時に初期に付着する溶液の質量に依存する。ロッドを溶液から引き上げた時に付着する溶液の質量は以下のように計算することができる。
【００４０】
図７のように、軸径２ｒのロッドを溶液から引き上げた時にロッドの表面に付着する液膜の厚さｈは経験的に知られており、例えば、Brethertonの式
0005463239.tif 000002
が公知である（非特許文献１）。Ｃａはキャピラリ―数であり、溶液の粘性係数μ、ロッドの引き上げ速度Ｕ、溶液の表面張力γを用いて、以下の式
0005463239.tif 000003
で表される。ロッドの表面に付着する液膜の厚さｈから、付着する溶液の質量ｍが以下の式
0005463239.tif 000004
で表させる。ただし、Ｌはロッドを溶液に浸漬するときの浸漬長、ρは溶液の密度である。
【００４１】
実施例１と実施例２の方法において、分注ノズルや攪拌棒の表面に付着した液膜が凝集し、ロッドの先端に生成される液滴が大きくなるに従って、ロッドの表面に存在する液膜の質量が初期に付着した液膜の質量ｍから徐々に減少していく。例えば実施例２のように、回転を与えて液滴を除去する方法において、ロッドに存在する液膜がｍcよりも小さい状態で回転を与えてロッドの先端の液滴を除去してしまうと、この残った液膜が凝集して再度液滴が生成されたとしても、この液滴には十分な遠心力が働かないため、これ以上除去することはできない。このようにならないために、分注ノズルや攪拌棒に付着した溶液を残存することなく最も効率的に除去するためには、分注ノズルや攪拌棒を溶液から引き上げたあと、分注ノズルや攪拌棒の表面に付着した液膜が全て凝集して液滴となり、液膜がなくなるまで静止させる必要がある。
【実施例３】
【００４２】
実施例３は、実施例１と実施例２で分注ノズルや攪拌棒に付着した液膜を液滴状に凝集させるまでの間分注ノズルや攪拌棒を静止させているところを、上下駆動モータを用いて分注ノズルや攪拌棒を上下に運動させることを異にするものである。このとき、上下駆動モータのパルス数を時間変化させ、分注ノズルや攪拌棒に加速度を与えることで付着した溶液に慣性力が加わり、液膜を早期に液滴に凝集させることができる。
【００４３】
図８に分注ノズルや攪拌棒を上下に運動させる過程における、分注ノズルや攪拌棒の高さの時間変化を示す。分注ノズルや攪拌棒を引き上げたあと、加速を付けながら下向きに移動させ（図８（ａ））、急停止させる（図８（ｂ））。その後分注ノズルや攪拌棒を等速で上向きに移動させ、元の位置まで戻す（図８（ｃ））。分注ノズルや攪拌棒に付着した液膜が分注ノズルや攪拌棒の先端に液滴状に凝集するまでこの動作を繰り返す。これにより、図８（ａ）の下向きの加速時と図８（ｂ）の急停止時に溶液に下向きの慣性力が働き、液膜を早期に凝集させることができる。
【００４４】
このとき、液膜が完全に凝集しておらず、ｍcよりも少ない質量の溶液が分注ノズルや攪拌棒のロッド表面に残っている状態でこの上下運動により液滴が飛び散ってしまうと、それ以上残った溶液を除去することはできなくなるので、そうならないように図８（ａ）の加速度や加速時間を決定する必要がある。この加速度や加速時間は、一般に溶液の分注ノズルや攪拌棒に対する付着力、すなわち、ロッドの軸径，溶液の表面張力、および、分注ノズルや攪拌棒を溶液から引き上げた時に付着する液膜の質量等によって決定する。
【実施例４】
【００４５】
実施例４は、分注ノズルおよび攪拌棒に付着した液膜が液滴状に凝集するまでの時間を短縮するため、分注ノズル及び攪拌棒のロッド形状を変形させたものである。図９にロッド形状を示す。図９（ａ）は、分注ノズル及び攪拌棒のロッド形状が、先端にいくほど軸径が単調に拡大することを特徴とする。図９（ｂ）は、分注ノズル及び攪拌棒のロッド形状が、軸径が拡大する部分と縮小する部分を交互に有し、かつ拡大部分の長さが縮小部分の長さよりも長い形状であることを特徴とする。
【００４６】
図９の形状を攪拌棒に使用するときは、攪拌効率を向上させるため、図１０のようにロッドの先端に攪拌翼を設置してもよい。
【００４７】
凝集時間短縮の効果を得るためには、図９（ａ）に示した軸径の拡大部分の軸に対する角度αは５度以上であることが望ましい。また、図９（ｂ）に示した軸径の拡大部分と縮小部分の長さの比は、ｃ／ｄ≧３であることが望ましい。
【００４８】
図９に示す形状によって付着した液膜の凝集時間が短縮できる効果について説明する。図１１（ａ）に示すように、ｚ＝０mmからｚ＝−５mmにかけて軸径が１.５mmから２.２５mmに拡大するロッドの表面に、初期状態として一様に厚さ１３μｍの液膜を与え、液膜が時間経過に伴って凝集する様子を、数値流体解析により解析した。このとき、付着する溶液のロッドに対する接触角を４５度、溶液の表面張力を３１.４ｍＮ／Ｎとした。解析手法として、気液表面流の解析手法の一つであるＶＯＦ（Volume of Fluid）法を用いた。ＶＯＦ法に関する解説は、例えば、非特許文献２に記載されている。
【００４９】
図１１（ａ）の比較として、図１１（ｂ）に示すように、軸径が１.５mmのまっすぐなロッドと、図１１（ｃ）に示すように、ｚ＝０mmからｚ＝−５mmにかけて軸径が２.２５mmから１.５mmまで縮小するロッドについても同様の解析を行った。
【００５０】
図１２は、溶液の最上部のｚ座標を時間経過ごとにプロットした図である。時間経過とともに溶液がロッドの下方に移動していくことが分かる。また、（ａ）のように軸径が下方にいくほど拡大するロッドは、まっすぐなロッドと比較して溶液が下方に移動する速度が早く、反対に、軸径が下方にいくほど縮小するロッドは、まっすぐなロッドと比較して溶液が下方に移動する速度が遅いことが分かった。
【００５１】
軸径が拡大すると、軸に垂直な断面の周長が長くなるため、溶液の先端部分に働く断面１周当たりの張力、即ち溶液の凝集力が大きくなる。そのため、軸径が下方にいくほど拡大するロッドは、溶液の下方への移動速度が速くなると考えられる。
【００５２】
この結果から、図９（ａ）に示したロッド形状の分注ノズル、または攪拌棒を自動分析装置に用いることで、表面に付着した溶液を早期に先端の方に移動，凝集させることができる。
【００５３】
本実施例の効果を確実にするためには、図９（ａ）に示した軸径が拡大部分の軸に対する角度αは５度以上であることが望ましい。
【００５４】
次に、図１３（ａ）に示すように、ｚ＝０mmからｚ＝−９mmにかけて軸径が０.７５mmから１.４２５mmに拡大し、ｚ＝−９mmからｚ＝−１０mmにかけて軸径が１.４２５mmから０.７５mmに縮小するロッドの表面に、初期状態として一様に厚さ１３μｍの液膜を与え、液膜が時間経過とともに凝集する様子を、上記と同様にＶＯＦ法を用いて解析した。上記と同様、付着する溶液のロッドに対する接触角と溶液の表面張力は、それぞれ４５度と３１.４ｍＮ／Ｎとした。
【００５５】
比較として、図１３（ｂ）に示すように、軸径が０.７５mmのまっすぐなロッドと、図１３（ｃ）に示すように、ｚ＝０からｚ＝−５にかけて軸径が０.７５mmから１.１２５mmまで拡大し、ｚ＝−５mmからｚ＝−１０mmにかけて軸径が１.１２５mmから０.７５mmまで縮小するロッドについても解析を行った。
【００５６】
図１４は、溶液の最上部のｚ座標を時間経過ごとにプロットした図である。（ａ）は、時刻０から０.０８secまで溶液の下方への移動速度が速く、時刻０.０８sec以降移動速度が遅くなっていることが分かる。また、（ｃ）は時刻０から０.０５secまで溶液の下方への移動速度が速く、０.０５sec以降移動速度が遅くなり、０.１secで（ｂ）の位置と一致している。
【００５７】
移動速度が早いときは、軸径が拡大する部分を溶液が通過しており、移動速度が遅いときは、軸径が縮小する部分を溶液が通過している。軸径が拡大する部分と縮小する部分が交互に存在するときはこの繰り返しになると考えられる。図１４の結果、軸径が拡大する部分と縮小する部分が同じ長さであるときは、まっすぐなロッドと比較して溶液を早期に下方に凝集させる効果は得られないが、軸径が拡大する部分が縮小する部分よりも長くすることで、まっすぐなロッドと比較して溶液を早期に下方に移動，凝集させる効果が得られる。
【００５８】
この結果から、図９（ｂ）に示したロッド形状の分注ノズル、または攪拌棒を自動分析装置に用いることで、表面に付着した溶液を早期に先端の方に移動，凝集させることができる。
【００５９】
本実施例の効果を確実にするためには、図９（ｂ）に示した軸径の拡大部分と縮小部分の長さの比は、ｃ／ｄ≧３であることが望ましい。
【００６０】
以上のように、図９に示したロッド形状の分注ノズル及び攪拌棒を用いることで、付着した液膜が早期に先端の方に移動，凝集するので、分析サイクル時間を短縮できる。
【符号の説明】
【００６１】
１  試料容器
２  試料ディスク
３  試薬容器
４  試薬ディスク
５  反応容器
６  反応ディスク
７  分注アーム
８  分注ノズル
９  攪拌機構
１０  攪拌棒
１１  測光系
１２  洗浄槽
１３  分注ノズル保持部
１４  上下駆動モータ
１５  支持板
１６  駆動プール
１７  従動プール
１８  上下駆動ベルト
１９  攪拌棒保持部
２０  回転モータ
２１  洗浄液
２２  反応液
【図１】
0005463239.tif 000005
【図２】
0005463239.tif 000006
【図３】
0005463239.tif 000007
【図４】
0005463239.tif 000008
【図５】
0005463239.tif 000009
【図６】
0005463239.tif 000010
【図７】
0005463239.tif 000011
【図８】
0005463239.tif 000012
【図９】
0005463239.tif 000013
【図１０】
0005463239.tif 000014
【図１１】
0005463239.tif 000015
【図１２】
0005463239.tif 000016
【図１３】
0005463239.tif 000017
【図１４】
0005463239.tif 000018